(57)【要約】【課題】録音した音声を聞き直す際における新たな聞き逃しの発生を防止することが可能な補聴器を提供する。【解決手段】本補聴器１００は、音声入力部１０１と、音声バッファ１０３と、第１・第２方向調整部１０４，１０５と、補聴処理部１０７と、音声出力部１０２と、を備えている。音声入力部１０１は、音声信号が入力される。音声バッファ１０３は、音声入力部１０１に入力された音声信号を保存する。第１・第２方向調整部１０４，１０５は、音声入力部１０１に入力された第１音声信号と音声バッファ１０３に保存された第２音声信号のうち少なくとも１つに対して、第１音声信号と第２音声信号とがそれぞれ独立して知覚されるように音声処理を行う。補聴処理部１０７は、第１・第２方向調整部１０４，１０５から出力された信号に対して補聴処理を行う。音声出力部１０２は、補聴処理部１０７において補聴処理された音声信号を出力する。【選択図】図１
2012134919.tif 000002
【特許請求の範囲】
【請求項１】
音声信号が入力される音声入力部と、
前記音声入力部に入力された音声信号を保存する音声記憶部と、
前記音声入力部に入力された第１音声信号と前記音声記憶部に保存された第２音声信号のうち少なくとも１つに対して、前記第１音声信号と前記第２音声信号とがそれぞれ独立して知覚されるように音声処理を行う音声処理部と、
前記音声処理部から出力された信号に対して補聴処理を行う補聴処理部と、
前記補聴処理部において補聴処理された音声信号を出力する音声出力部と、
を備えている補聴器。
【請求項２】
前記音声処理部は、前記第１音声信号および前記第２音声信号が、使用者によってそれぞれ異なる方向からの音声であると知覚されるように方向調整処理を行う、
請求項１に記載の補聴器。
【請求項３】
前記音声処理部は、前記第１音声信号に対して横方向の指向性処理を施し、前記第２音声信号に対して正面方向の指向性処理を施すように方向調整処理を行う、
請求項２に記載の補聴器。
【請求項４】
前記方向調整処理は、所望の方向に指向性を持って収音する指向性収音処理を含む、
請求項２または３に記載の補聴器。
【請求項５】
前記音声処理部は、前記第１音声信号の出力レベルを、前記第２音声信号の出力レベルよりも小さくするように音量調整処理を行う、
請求項１から４のいずれかに記載の補聴器。
【請求項６】
前記補聴処理部は、前記第１音声信号と前記第２音声信号とに対して、それぞれ異なる補聴処理を施す、
請求項１から５のいずれかに記載の補聴器。
【請求項７】
前記補聴処理部は、前記第２音声信号から雑音部分を除去するように補聴処理を施す、
請求項６に記載の補聴器。
【発明の詳細な説明】
【技術分野】
【０００１】
本発明は、入力された音声を録音する機能を備えた補聴器に関する。
【背景技術】
【０００２】
近年、入力された音声信号を録音し、これを再生することによって、リアルタイムで聞き取れなかった音声を聞き直すことが可能な補聴器が知られている（特許文献１参照）。
【先行技術文献】
【特許文献】
【０００３】
【特許文献１】特開平５−５６４９９号公報（平成５年３月５日公開）
【非特許文献１】イェンス ブラウエルト・森本政之・後藤敏幸編著「空間音響」鹿島出版会、昭和６１年７月１０日
【非特許文献２】James M. Kates, "Digital Hearing Aids," Plural Publishing (2008/3/31)９９号公報
【発明の概要】
【発明が解決しようとする課題】
【０００４】
しかしながら、上記従来の補聴器では、以下に示すような問題点を有している。
すなわち、上記従来の補聴器では、使用者が音声を聞き取れなかった場合、録音していておいた音声を低速度で繰り返し再生することで、聞き逃した音声を確実に聞き取れるようにしている。しかし、録音した音声を再生している間は、補聴器使用者は、リアルタイムで補聴器に入力される音声を聞きとることができなくなり、新たな聞き逃しを招くおそれがある。
本発明の課題は、録音した音声を聞き直す際における新たな聞き逃しの発生を防止することが可能な補聴器を提供することにある。
【課題を解決するための手段】
【０００５】
第１の発明に係る補聴器は、音声入力部と、音声記憶部と、音声処理部と、補聴処理部と、音声出力部と、を備えている。音声入力部は、音声信号が入力される。音声記憶部は、音声入力部に入力された音声信号を保存する。音声処理部は、音声入力部に入力された第１音声信号と音声記憶部に保存された第２音声信号のうち少なくとも１つに対して、第１音声信号と第２音声信号とがそれぞれ独立して知覚されるように音声処理を行う。補聴処理部は、音声処理部から出力された信号に対して補聴処理を行う。音声出力部は、補聴処理部において補聴処理された音声信号を出力する。
【０００６】
ここでは、録音機能を備えた補聴器において、リアルタイムで入力されてくる音声信号（第１音声信号）と、その前に入力されて記憶された音声信号（第２音声信号）と、に対して、それぞれが独立して使用者に知覚されるような音声処理を施して出力する。
ここで、上記音声処理としては、例えば、使用者に近くされる音声の方向（発生源の方向）や出力される音量に差をつける等の処理が考えられる。
【０００７】
これにより、使用者が、直前に聞き取れなかった音声を聞き直す際に、聞き直したい再生中の音声と、聞き直している際にリアルタイムで入力されてくる音声とを、判別して聞き取ることができる。この結果、例えば、聞き直した音声を確実に聞き取って新たな聞き逃しを防止することができるとともに、リアルタイムで入力される危険音等の音声についても聞き逃しを防止することができる。
【０００８】
第２の発明に係る補聴器は、第１の発明に係る補聴器であって、音声処理部は、第１音声信号および第２音声信号が、使用者によってそれぞれ異なる方向からの音声であると知覚されるように方向調整処理を行う。
ここでは、上述した第１・第２音声信号に対して、異なる方向から聞こえてくる音声であると使用者に知覚されるように、それぞれ方向調整処理を行う。
これにより、使用者は、聞き直したい音声とリアルタイムで入力されてくる音声とを判別して認識することができる。
【０００９】
第３の発明に係る補聴器は、第２の発明に係る補聴器であって、音声処理部は、第１音声信号に対して横方向の指向性処理を施し、第２音声信号に対して正面方向の指向性処理を施すように方向調整処理を行う。
ここでは、使用者が聞き直したい音声（第２音声信号）の方を優先的に使用者に聞き取らせるために、使用者が集中し易い正面方向からの音声であると知覚されるように第２音声信号に対して方向調整処理するとともに、優先度の低い第１音声信号に対しては、使用者の横方向からの音声であると知覚されるように第１音声信号に対して方向調整処理を行う。
これにより、使用者は、聞き直している第２音声信号の音声に集中して優先的に聞き取ることができるとともに、リアルタイムで入力される第１音声信号の音声も聞き取ることができる。
【００１０】
第４の発明に係る補聴器は、第２または第３の発明に係る補聴器であって、方向調整処理は、所望の方向に指向性を持って収音する指向性収音処理を含む。
ここでは、上述した方向調整処理として、指向性収音処理を用いる。
これにより、例えば、第２音声信号に対しては、使用者の正面方向に指向性を持って収音処理し、第１音声信号に対しては、使用者の横方向に指向性を持って収音処理することで、使用者は、第１・第２音声信号に対応する音声を判別して聞き取ることができる。
【００１１】
第５の発明に係る補聴器は、第１から第４の発明のいずれか１つに係る補聴器であって、音声処理部は、第１音声信号の出力レベルを、第２音声信号の出力レベルよりも小さくするように音量調整処理を行う。
ここでは、使用者が第１・第２音声信号を判別して聞き取れるように、第１・第２音声信号に対して、出力レベルに差をつける音量調整処理を行う。
なお、第１・第２音声信号に対する音声処理としては、上述した方向調整処理とこの音声調整処理とを選択的に実施してもよいし、両者を組み合わせて実施してもよい。
これにより、使用者は、第１・第２音声信号に対応する音声を判別して聞き取ることができるとともに、より優先度の高い音声を優先的に聞き取ることができる。
【００１２】
第６の発明に係る補聴器は、第１から第５の発明のいずれか１つに係る補聴器であって、補聴処理部は、第１音声信号と第２音声信号とに対して、それぞれ異なる補聴処理を施す。
ここでは、上述した音声処理に加えて、補聴処理についても第１・第２音声信号に対して異なる処理を行う。
これにより、使用者は、第１・第２音声信号に対応したそれぞれの音声を、より判別し易くなる。
【００１３】
第７の発明に係る補聴器は、第６の発明に係る補聴器であって、補聴処理部は、第２音声信号から雑音部分を除去するように補聴処理を施す。
ここでは、上述した補聴処理として、第２音声信号に対して雑音除去処理を実施する。
これにより、使用者が聞き直したい第２音声信号に対応する音声を、よりクリアな音質で聞き取ることができるとともに、第１音声信号に対応する危険音等の音声についても聞き逃すことを防止することができる。
【発明の効果】
【００１４】
本発明に係る補聴器によれば、録音機能を搭載した補聴器において、録音した音声を聞き直す際における新たな聞き逃しの発生を防止することができる。
【図面の簡単な説明】
【００１５】
【図１】本発明の一実施形態に係る補聴器の構成を示す制御ブロック図。
【図２】図１の補聴器における制御の流れを示すフローチャート。
【図３】（ａ）は、図１の補聴器を使用者に装着した状態を示す概念図。（ｂ）は、図１の補聴器において聞き直しモードに移行するためにボタンを押下する状態を示す概念図。
【図４】（ａ），（ｂ）は、録音音声とリアルタイムに入力された音声とを使用者のどの方向に知覚させるか設定することを示す説明図。
【図５】本発明の他の実施形態に係る補聴器の構成を示す制御ブロック図。
【図６】図５の補聴器に複数のマイクロホンが搭載された場合の制御ブロック図。
【図７】図５の補聴器に複数のマイクロホンが搭載された場合の制御ブロック図。
【図８】本発明のさらに他の実施形態に係る補聴器の構成を示す制御ブロック図。
【図９】図８の補聴器における制御の流れを示すフローチャート。
【図１０】本発明のさらに他の実施形態に係る補聴器の構成を示す制御ブロック図。
【図１１】図１０の補聴器に複数のマイクロホンが搭載された場合の制御ブロック図。
【図１２】図１０の補聴器に複数のマイクロホンが搭載された場合の制御ブロック図。
【発明を実施するための形態】
【００１６】
（実施の形態１）
図１は、本発明の実施の形態１に係る補聴器１００の制御ブロック図である。
本実施形態の補聴器１００は、図１に示すように、音声入力部１０１と、音声出力部１０２と、音声バッファ（音声記憶部）１０３と、第１方向調整部（音声処理部）１０４と、第２方向調整部（音声処理部）１０５と、合成部１０６と、補聴処理部１０７と、コントローラ１１０と、制御部１１１と、を備えている。
【００１７】
音声入力部１０１は、補聴器１００のマイクロホンから出力される音声信号や音声通信装置、音声再生装置から出力される音声信号等が入力される。
コントローラ１１０は、使用者１０（図３（ａ）参照）や他の装置による操作を受け付けて、制御部１１１に対して操作情報を出力する。
制御部１１１は、コントローラ１１０から入力される操作情報に基づいて、音声バッファ１０３、第１方向調整部１０４、第２方向調整部１０５、および合成部１０６の動作を制御する。
【００１８】
音声バッファ１０３は、制御部１１１による制御に基づいて、音声入力部１０１に入力された音声信号を記録する。さらに、音声バッファ１０３は、記録された音声信号のうち、指定された部分を、逐次、録音音声として出力する。
第１方向調整部１０４は、制御部１１１による制御に基づいて、音声入力部１０１から出力された音声信号（第１音声信号）に対して、使用者１０が知覚する音の方向を調整する方向調整処理を行う。
【００１９】
第２方向調整部１０５は、制御部１１１による制御に基づいて、音声バッファ１０３から出力された録音音声信号（第２音声信号）に対して、使用者１０が知覚する音の方向を調整する方向調整処理を行う。
合成部１０６は、制御部１１１による制御に基づいて、第１方向調整部１０４あるいは第２方向調整部１０５から出力された音声信号の少なくとも１つについて、音量調整を行った後、合成して出力する。
補聴処理部１０７は、合成部１０６から出力された信号に対して、非線形増幅や雑音抑圧などの補聴処理を行って出力する。
音声出力部１０２は、補聴処理部１０７において処理された信号を出力する。
【００２０】
＜本補聴器１００の動作＞
本実施形態の補聴器１００の動作の一例について、図２のフローチャートを用いて説明する。
本実施形態の補聴器１００の動作状態は、図中において、「通常モード」と「聞き直しモード」として示す２つの状態に大別される。
通常モードにおいて、音声入力部１０１へ音声信号が入力されると（Ｓ１０１）、音声バッファ１０３は、入力された音声信号を逐次記録する（Ｓ１０２）。なお、音声バッファ１０３が保持する記録領域を全て使い果たした場合は、古い方から順に上書きするようにしてもよい。
【００２１】
次に、第１方向調整部１０４は、音声入力部１０１から出力された音声信号（第１音声信号）に対し、通常の指向性収音処理を行って出力する（Ｓ１０３）。このとき、合成部１０６は、第１方向調整部１０４から出力された音声信号をそのまま出力する。
補聴処理部１０７は、指向性収音処理が施された音声信号に対して、非線形増幅や雑音抑圧等の補聴処理を行って出力する（Ｓ１０４）。
【００２２】
音声出力部１０２は、補聴処理が施された音声信号を、補聴器１００のレシーバ等の再生装置から出力する（Ｓ１０５）。
ここで、コントローラ１１０は、図３（ａ）および図３（ｂ）に示すように、使用者１０が補聴器１００のボタン１００ａを押す等、録音した音声信号の聞き直しを要求する動作をしていないかを確認する。音声聞き直しの要求を確認した場合は、コントローラ１１０は、聞き直しモードに移行するための操作情報を出力する。そうでなければ、Ｓ１０１に戻り、通常モードの動作を継続する（Ｓ１０６）。
【００２３】
制御部１１１は、聞き直しモードに移行するための操作情報が入力されると、音声バッファ１０３、第１方向調整部１０４、第２方向調整部１０５、合成部１０６に対し、動作を聞き直しモードに変更するよう制御信号を出力する（Ｓ１０７）。
また、制御部１１１は、音声バッファ１０３に対し、再生位置を所定位置に初期化するように制御信号を出力する（Ｓ１０８）。ここで、所定位置とは、最も古い録音音声信号の位置や、一定時間（例えば、１０〜２０秒程度）前の再生位置、あるいは、利用者によって予め指定された位置であればよい。
【００２４】
聞き直しモードでは、音声バッファ１０３は、制御部１１１によって指定された再生位置から、逐次、録音音声信号（第２音声信号）を出力する（Ｓ１１１）。
このとき、リアルタイムで音声入力部１０１に音声信号が入力されると（Ｓ１１２）、第１方向調整部１０４は、音声入力部１０１から出力された音声信号に対し、また、第２方向調整部１０５は、音声バッファ１０３から出力された録音音声信号に対し、それぞれ使用者１０が知覚する音の方向を調整する方向調整処理を行って出力する（Ｓ１１３）。
【００２５】
合成部１０６は、第１方向調整部１０４および第２方向調整部１０５から出力された音声信号に対し、音量調整を行った後に合成して出力する（Ｓ１１４）。
例えば、第２方向調整部１０５から出力された録音音声信号は、聞き直したい音声信号が明瞭に聞こえるように大きめに、第１方向調整部１０４から出力された音声は、危険音（接近する車の音など）を知覚できる程度に小さめに設定する。これにより、いずれの音声からも、必要な情報を得るとともに、同時に聞こえてくる音声のどちらが聞き直した音声信号化を識別することができる。
【００２６】
補聴処理部１０７は、合成部１０６から出力された音声信号に対し、非線形増幅や雑音抑圧といった補聴処理を行って出力する（Ｓ１１５）。そして、音声出力部１０２は、補聴処理が施された音声信号を、補聴器１００のレシーバ等の再生装置から出力する（Ｓ１１６）。
なお、補聴処理部１０７は、第２方向調整部１０５から出力された録音音声信号については、聞き直したい音声信号が明瞭に聞こえるように、雑音を除去する補聴処理を行い、第１方向調整部１０４から出力された音声信号は、通常の補聴処理を行うように設定されていてもよい。あるいは、第２方向調整部１０５から出力された録音音声信号と、第１方向調整部１０４から出力された音声信号とで、雑音を除去する補聴処理の程度に差を設けてもよい。これにより、いずれの音声からも、聞き直した音声の方をより明瞭に聞き取ることができる。
【００２７】
ここで、コントローラ１１０は、使用者１０が補聴器１００のボタン１００ａを押す等して、録音した音声信号の早送りあるいは巻戻し再生を要求しているかどうかを確認する。ここで、使用者１０からの早送りあるいは巻戻し再生の要求を確認した場合は、コントローラ１１０は、早送りあるいは巻戻し再生の操作情報を出力する。そうでなければＳ１１９に進む（Ｓ１１７）。
【００２８】
制御部１１１は、早送りあるいは巻戻し再生の操作情報が入力されると、音声バッファ１０３に対し、再生位置を変更するよう制御信号を出力する（Ｓ１１８）。具体的には、早送りの操作情報を入力した場合には先に、巻戻しの操作情報を入力した場合には前に、それぞれ再生位置を変更するよう制御信号を出力する。なお、再生位置を変更する量としては一定時間分としてもよいし、ボタン操作の状態に応じて変更するようにしてもよい。
例えば、ボタン１００ａを押してからすぐに離した場合には、１回のボタン操作で一定時間（例えば、１〜１０秒程度）変更するようにし、ボタン１００ａを長時間押したままにしている場合には、一般的なオーディオプレイヤーにおける早送りや巻戻しに相当する変更量（例えば１．５倍〜１０倍速程度）で連続的に変更するようにしてもよい。
【００２９】
次に、録音音声信号の最後に到達した場合には、Ｓ１２１に進み、そうでなければ、Ｓ１２０に進む（Ｓ１１９）。
このとき、コントローラ１１０は、使用者１０が補聴器１００のボタン１００ａを押す等して、通常の補聴処理に戻ることを要求しているかどうかを確認する。ここで、通常の補聴処理に戻る要求を確認した場合は、コントローラ１１０は、通常モードに移行するための操作情報を出力する。そうでなければ、Ｓ１１１に戻り、聞き直しモードの動作を継続する（Ｓ１２０）。
制御部１１１は、Ｓ１１９において録音音声の最後に到達するか、あるいは通常モードに移行するための操作情報が入力されると、音声バッファ１０３、第１方向調整部１０４および合成部１０６に対し、動作を通常モードに変更するよう制御信号を出力する（Ｓ１２１）。
【００３０】
＜方向調整処理＞
ここで、Ｓ１１３における第１方向調整部１０４および第２方向調整部１０５の動作の詳細について説明する。
使用者１０の両耳に入力される音声から算出される両耳間時間差（Interaural Time Difference, ITD）が小さい場合には、その音声は使用者１０の正中面付近に知覚される（非特許文献１参照）。したがって、両耳間時間差が小さくなるように方向調整処理を行うことにより、音声を正面近く、すなわち使用者１０の正面あるいは後ろ方向からの音声として集中して知覚させることができる。
【００３１】
例えば、図４（ａ）に示すように、音声バッファ１０３から出力された録音音声信号は使用者１０の正面付近からの音声として、また、音声入力部１０１から出力された音声信号は使用者１０の側方からの音声として知覚されるように、それぞれ方向調整を行う。これにより、聞き直したい音を使用者１０の中央正面付近に設定することで、使用者１０は、聞き直しの音声を優先的に聞き取れるように意識を集中しやすくすることができる。
【００３２】
逆に、図４（ｂ）に示すように、音声入力部１０１に入力された音声信号は使用者１０の正面付近からの音声として、また、音声バッファ１０３から出力された録音音声信号は使用者１０の側方からの音声信号として知覚されるように、それぞれ方向調整を行ってもよい。これにより、音の空間分離能力（カクテルパーティー効果）を活用し、使用者１０は、録音音声の中から聞きたい音を探し出すことが容易になる。
なお、上述した方向調整の制御に関しては、図４（ａ）、図４（ｂ）に示すいずれか一方の状態に設定されていてもよいし、双方を切り換えて使用できるように設定されていてもよい。
【００３３】
本実施形態では、以上のように、音声バッファ１０３から出力された録音音声信号と、音声入力部１０１にリアルタイムで入力されたと音声とに対し、それぞれ異なる方向に音声を知覚するような方向調整処理を行う。
これにより、録音された音声を聞き直す際に、聞き直したい音声を明瞭に聞くことができるとともに、リアルタイムな危険音まで同時に検知することができる。
【００３４】
なお、本実施形態では、リアルタイムで入力された音声と録音された音声とに対して、方向調整処理を行うことで、使用者にリアルタイムで入力された音声と録音された音声とを独立して知覚させることができる例を挙げて説明した。しかし、本発明はこれに限定されるものではない。
例えば、リアルタイムで入力された音声と録音された音声とに対して、方向調整処理を行うことなく、音量を調整する処理だけを実施することで、上記効果を得るようにしてもよい。
【００３５】
（実施の形態２）
本発明の他の実施形態に係る補聴器２００について、以下で説明する。
なお、図５〜図７に示す構成要素のうち、上述した実施の形態１で説明した図１と同じ構成要素については、同じ符号を付してその説明を省略する。
本実施形態の補聴器２００は、例えば、図５に示すように、両耳用の補聴器として構成されている点で、上述した実施の形態１の補聴器１００とは異なっている。
【００３６】
本実施形態の左右両耳に装着される補聴器２００では、図５に示すように、音声入力部１０１が、左耳と右耳の音声がそれぞれ入力される音声入力部１０１ａ，１０１ｂを有している。音声出力部１０２、合成部１０６、補聴処理部１０７についても同様に、左右の耳用として、音声出力部１０２ａ，１０２ｂ、合成部１０６ａ，１０６ｂ、および補聴処理部１０７ａ，１０７ｂをそれぞれ有している。
【００３７】
音声バッファ１０３は、２つの音声入力部１０１ａ，１０１ｂから入力された音声信号を記録して出力する。
第１方向調整部１０４および第２方向調整部１０５は、それぞれ音声入力部１０１ａ，１０ａｂおよび音声バッファ１０３から２つずつ入力された音声信号に対して、方向調整処理を行う。
【００３８】
なお、本実施形態のように、左右両耳用の補聴器２００において、左右それぞれの補聴器２００が複数（本実施形態では２つ）のマイクロホンを搭載している場合には、図６に示すように、音声バッファ１０３はそれぞれの音声入力部１０１ａ，１０１ｂから入力された複数の音声信号を記録して出力し、第１方向調整部１０４および第２方向調整部１０５は、それぞれ音声入力部１０１ａ，１０１ｂおよび音声バッファ１０３から入力された複数の音声信号に対して、それぞれ方向調整処理を行うようにしてもよい。
【００３９】
複数のマイクロホンによって取得された音声は、指向性収音処理を行う場合などに用いられる（非特許文献２参照）。もし、録音音声信号に対して指向性収音処理を行う必要がない場合には、図７に示すように、音声バッファ１０３は、それぞれの音声入力部１０１ａ，１０１ｂから入力された複数の音声信号のうち、それぞれ１つずつを記録して出力するようにしてもよい。
【００４０】
なお、このような両耳用の補聴器２００の場合には、以下の式（１）に示すように、左右の成分を所定の割合で足し合わせることにより、音声をモノラルの状態に近づけ、聞き取り時の両耳間時間差を小さくすることが可能である。
Yl(t)=αXl(t)+(1-α)Xr(t), Yr(t)=(1-α)Xl(t)+αXr(t) ・・・・・ 式（１）
（なお、0.5≦α＜1とする。）
ここで、
Xl(t)：左耳への入力、 Xr(t)：右耳への入力、
Yl(t)：左耳への出力、  Yr(t)：右耳への出力
あるいは、図６および図７に示すように、それぞれの補聴器２００が互いに近接した複数のマイクロホンを備えている場合には、前方あるいは後方の音を収音する（あるいは、側方の音を除外する）指向性収音処理を行うこと等により、同様に、聞き取った音声が使用者１０の正面近くからの音声であるように、集中して知覚させることができる。
【００４１】
逆に、両耳間時間差が小さい成分を減らすことにより、聞き取った音声が正中面以外からの音声であると使用者１０に知覚させることが可能となる。
図５〜図７に示す本実施形態の両耳用の補聴器２００の場合には、例えば、左右いずれか一方の音声信号の正負を反転させる処理や、左右の信号を無相関化する処理等により、聞き取った音声が使用者１０の正面以外からの音声であると使用者１０に知覚させることができる。
【００４２】
あるいは、図６および図７に示すように、それぞれの補聴器２００が近接した複数のマイクロホンを備えている場合には、側方の音を収音する（あるいは、前方あるいは後方の音を除外する）指向性収音処理を行うこと等により、同様に、聞き取った音声が使用者１０の正面以外からの音声であると使用者１０に知覚させることができる。
本実施形態の補聴器２００では、以上のように、音声バッファ１０３から出力された録音音声信号と、音声入力部１０１から入力された音声信号とに対して、それぞれ異なる方向からの音声であると知覚するような方向調整処理を行うことで、いずれの音声も明瞭に聞き取ることができる。
【００４３】
（実施の形態３）
本発明のさらに他の実施形態に係る補聴器３００について、以下で説明する。
図８は、本実施形態の補聴器３００の構成を示す制御ブロック図である。なお、図８に示す構成要素のうち、上述した実施の形態１で説明した図１と同じ構成要素については、同じ符号を付してその説明を省略する。
【００４４】
図８において、制御部２１１は、コントローラ１１０から出力された操作情報に基づいて、音声バッファ１０３、第１方向調整補聴処理部（音声処理部）２０４、第２方向調整補聴処理部（音声処理部）２０５、合成部２０６の動作を制御する。つまり、本実施形態では、リアルタイムで得た音声信号と録音音声信号とを、別々に方向調整補聴処理している点で、上述した実施の形態１とは異なっている。
【００４５】
音声バッファ１０３は、制御部２１１による制御に基づいて、音声入力部１０１から入力された音声信号を記録する。さらに、記録された音声信号のうち、指定された部分から逐次、出力する。
第１方向調整補聴処理部２０４は、音声入力部１０１から出力された音声信号（第１音声信号）に対して、使用者１０が知覚する音の方向を調整する方向調整処理や非線形増幅や雑音抑圧等を含む補聴処理を行って出力する。
【００４６】
第２方向調整補聴処理部２０５は、音声バッファ１０３から出力された録音音声信号（第２音声信号）に対して、使用者１０が知覚する音の方向を調整する方向調整処理や非線形増幅や雑音抑圧等を含む補聴処理を行って出力する。
合成部２０６は、制御部２１１による制御に基づいて、第１方向調整補聴処理部２０４あるいは第２方向調整補聴処理部２０５から出力された音声信号のうち少なくとも１つについて、音量調整を行った後に合成して出力する。
【００４７】
図８に示す補聴器３００の動作の一例について、図９のフローチャートを用いて説明する。なお、図９において、図２のフローチャートと同じ工程については、同じ符号を用いてその説明を省略する。
通常モードにおいて、音声入力部１０１に音声が入力されると（Ｓ１０１）、入力された音声信号は、音声バッファ１０３に逐次記録される（Ｓ１０２）。
【００４８】
次に、第１方向調整補聴処理部２０４は、音声入力部１０１から入力された音声信号に対し、通常の指向性収音処理ならびに非線形増幅や雑音抑圧等を含む補聴処理を行って出力する（Ｓ２０３）。
合成部２０６は、補聴処理が施された音声信号だけをそのまま出力し、音声出力部１０２は、合成部２０６から出力された音声信号を、補聴器３００のレシーバ等の再生装置から出力する（Ｓ１０５）。
【００４９】
ここで、コントローラ１１０は、使用者１０が補聴器３００のボタンを押す等して、録音した音声の聞き直しを要求しているかどうかを確認する。ここで、音声聞き直しの要求を確認した場合は、コントローラ１１０は、聞き直しモードに移行するための操作情報を出力する。そうでなければ、Ｓ１０１に戻り、通常モードの動作を継続する（Ｓ１０６）。
【００５０】
制御部２１１は、聞き直しモードに移行するための操作情報が入力されると、音声バッファ１０３、第１方向調整補聴処理部２０４、第２方向調整補聴処理部２０５、合成部２０６に対して、動作を聞き直しモードに変更するよう制御信号を出力する（Ｓ２０７）。また、音声バッファ１０３に対し、再生位置を所定位置に初期化するよう制御信号を出力する（Ｓ１０８）。
聞き直しモードにおいて、音声バッファ１０３は、制御部２１１によって指定された再生位置から、逐次、録音音声を出力する（Ｓ１１１）。
【００５１】
次に、音声入力部１０１から音声が入力されると（Ｓ１１２）、第１方向調整補聴処理部２０４は、入力された音声信号に対して、使用者１０が知覚する音の方向を調整する方向調整処理や、非線形増幅や雑音抑圧等を含む補聴処理を行って出力する。同様に、第２方向調整補聴処理部２０５は、音声バッファ１０３から出力された録音音声信号に対して、方向調整処理および補聴処理を行って出力する（Ｓ２１３）。
【００５２】
このとき、第２方向調整補聴処理部２０５は、上述した実施の形態１で説明した方向調整処理に加えて、録音音声の中から聞きたい音声をより聞きやすくするために、人の声を強調する音声強調などの付加的な処理を行ってもよい。
また、第１方向調整補聴処理部２０４は、上述した実施の形態１で説明した方向調整処理に加えて、リアルタイムに入力される音声信号に含まれる危険音を使用者が検知しやすくするために、危険音を強調する処理（例えば、突発音強調等）を行ってもよい。
【００５３】
このように、第１・第２方向調整補聴処理部２０４，２０５において、それぞれ異なる補聴処理を行うことで、録音された音声を聞き直す際に聞き直したい音声を明瞭に聞き取ることができるとともに、リアルタイムに入力された危険音をすぐに検知することがより容易になる。
合成部２０６は、第１方向調整補聴処理部２０４および第２方向調整補聴処理部２０５から出力された音声信号に対して、音量調整を行った後、合成して出力する（Ｓ２１４）。
【００５４】
そして、音声出力部１０２は、合成部２０６から出力された信号を、補聴器３００のレシーバ等の再生装置を介して出力する（Ｓ１１６）。
ここで、コントローラ１１０は、使用者１０が補聴器３００のボタンを押す等して、録音した音声信号の早送りあるいは巻戻し再生を要求しているかどうかを確認する。早送りあるいは巻戻し再生の要求を確認した場合は、コントローラ１１０は、早送りあるいは巻戻し再生の操作情報を出力する。そうでなければ、Ｓ１１９に進む（Ｓ１１７）。
制御部１１１は、早送りあるいは巻戻し再生の操作情報が入力されると、音声バッファ１０３に対して、再生位置を変更するよう制御信号を出力する（Ｓ１１８）。
【００５５】
次に、録音音声信号の最後に到達した場合には、Ｓ１２１に進み、そうでなければ、Ｓ１２０に進む（Ｓ１１９）。
ここで、コントローラ１１０は、使用者１０が補聴器３００のボタンを押す等して、通常の補聴処理に戻ることを要求しているかどうかを確認する。通常の補聴処理に戻る要求を確認した場合は、コントローラ１１０は、通常モードに移行するための操作情報を出力する。そうでなければ、Ｓ１１１に戻り、聞き直しモードの動作を継続する（Ｓ１２０）。
【００５６】
制御部２１１は、Ｓ１１９において録音音声信号の最後に到達するか、あるいは通常モードに移行するための操作情報が入力されると、音声バッファ１０３、第１方向調整補聴処理部２０４、第２方向調整補聴処理部２０５、合成部２０６に対して、動作を通常モードに変更するよう制御信号を出力する（Ｓ２２１）。
本実施形態においては、以上のように、音声バッファ１０３から出力された録音音声信号（第２音声信号）と、音声入力部１０１から出力されたと音声信号（第１音声信号）とに対し、それぞれ異なる方向に音声を知覚するような方向調整処理、および異なる補聴処理を行って合成し出力する。
【００５７】
これにより、録音された音声を聞き直す場合に、聞き直したい音声だけを明瞭に聞き取ることができるとともに、リアルタイムに入力された危険音等も容易に検知することができる。
なお、指向性収音処理や補聴処理は、フィッティングと呼ばれる補聴器の調整作業や、補聴器の使用環境等に応じて、適宜、処理内容を変更してもよい。例えば、第１方向調整部１０４、第１方向調整補聴処理部２０４、あるいは第２方向調整補聴処理部２０５は、指向性収音処理を行わず、入力された音声をそのまま出力するようにしてもよい。
【００５８】
（実施の形態４）
本発明のさらに他の実施形態に係る補聴器４００について、以下で説明する。
図１０〜図１２は、本実施形態の補聴器４００の構成を示す制御ブロック図である。なお、図１０〜図１２に示す構成要素のうち、上述した実施の形態１で説明した図１と同じ構成要素については、同じ符号を付してその説明を省略する。
【００５９】
上述した実施の形態３の補聴器３００を、両耳用の補聴器４００として使用する場合には、図１０に示すように、音声入力部１０１は、それぞれ左耳と右耳の音声が入力される音声入力部１０１ａ，１０１ｂを有していればよい。音声出力部１０２および合成部２０６についても同様に、音声出力部１０２ａ，１０２ｂ、合成部２０６ａ，２０６ｂをそれぞれ有していればよい。
【００６０】
この場合には、音声バッファ１０３は、２つの音声入力部１０１ａ，１０１ｂから出力された音声信号を記録・出力すればよい。
また、第１方向調整補聴処理部２０４および第２方向調整補聴処理部２０５は、それぞれ音声入力部１０１および音声バッファ１０３から出力された２つの音声信号に対して、方向調整処理を行う第１・第２方向調整部（音声処理部）２０４ａ，２０５ａと、それぞれ異なる補聴処理を行う２つの補聴処理部２０４ｂ，２０４ｃ、補聴処理部２０５ｂ，２０５ｃを有していればよい。
【００６１】
また、補聴器４００が複数（本実施形態では２つ）のマイクロホンを搭載している場合には、図１１に示すように、音声バッファ１０３は、それぞれの音声入力部１０１ａ，１０１ｂから出力された複数の音声信号を記録して出力するようにし、第１方向調整補聴処理部２０４および第２方向調整補聴処理部２０５は、音声入力部１０１および音声バッファ１０３から出力された複数の音声信号に対して、それぞれ方向調整処理を行うようにすればよい。
さらに、もし録音音声信号に対して指向性収音処理を行う必要がない場合には、図１２に示すように、音声バッファ１０３は、それぞれの音声入力部１０１ａ，１０１ｂから出力された複数の音声信号のうち、それぞれ１つずつを記録して出力すればよい。
【産業上の利用可能性】
【００６２】
本発明の補聴器は、録音機能を搭載した補聴器において、録音した音声を聞き直す際における新たな聞き逃しの発生を防止することができるという効果を奏することから、両耳用、片耳用の補聴器の双方に対して広く適用可能である。
【符号の説明】
【００６３】
１０      使用者
１００      補聴器
１００ａ    ボタン
１０１      音声入力部
１０１ａ，１０１ｂ  音声入力部
１０２      音声出力部
１０２ａ，１０２ｂ  音声出力部
１０３      音声バッファ（音声記憶部）
１０４      第１方向調整部（音声処理部）
１０５      第２方向調整部（音声処理部）
１０６      合成部
１０７      補聴処理部
１０７ａ，１０７ｂ  補聴処理部
１１０      コントローラ
１１１      制御部
２００      補聴器
２０４      第１方向調整補聴処理部（音声処理部）
２０４ａ    第１方向調整部（音声処理部）
２０４ｂ    第１補聴処理部
２０４ｃ    第２補聴処理部
２０５      第２方向調整補聴処理部（音声処理部）
２０５ａ    第１方向調整部（音声処理部）
２０５ｂ    第１補聴処理部
２０５ｃ    第２補聴処理部
２０６      合成部
２０６ａ，２０６ｂ  合成部
２１１      制御部
３００      補聴器
４００      補聴器
【図１】
2012134919.tif 000003
【図２】
2012134919.tif 000004
【図３】
2012134919.tif 000005
【図４】
2012134919.tif 000006
【図５】
2012134919.tif 000007
【図６】
2012134919.tif 000008
【図７】
2012134919.tif 000009
【図８】
2012134919.tif 000010
【図９】
2012134919.tif 000011
【図１０】
2012134919.tif 000012
【図１１】
2012134919.tif 000013
【図１２】
2012134919.tif 000014